(57)【要約】  本発明は、ネットワークの端点で信号の問題を診断するための分散型システムおよび方法を提供する。分散型システムは、端点に設けられたサービス品質モニタと、端点から一般的に遠く離れて設けられたシステム・マネージャと、を含む。サービス品質モニタは、通話品質分析コンポーネントと、パラメータ記録コンポーネントと、問題報告コンポーネントと、を含む。通話品質分析コンポーネントは、信号の品質問題を報告するために、通話品質パラメータの値を監視する。品質問題の検出によって、パラメータ記録コンポーネントは、短縮されたサンプリング・インターバルで通話品質パラメータの値をサンプリングする。パラメータ報告コンポーネントは、パラメータ記録コンポーネントによってサンプリングされた値をネットワーク上で送信するための問題通話品質報告の中に組み込む。システム・マネージャは、後続の検査のために問題通話品質報告を検索し、格納する。
2009521864.tif 000002
【特許請求の範囲】
【請求項１】
ネットワークの端点で信号の問題を診断するための分散型システムであって、
ａ．前記端点に設けられたサービス品質モニタは、
ｉ．前記信号の品質問題を検出するために、前記信号に関連づけられた少なくとも１つの品質パラメータの値を監視するように構成された通話品質分析コンポーネントと、
ii．前記品質問題の検出によって、短縮されたサンプリング・インターバルで前記信号に関連づけられた少なくとも１つの品質パラメータの値をサンプリングするように構成されたパラメータ記録コンポーネントと、
iii．前記パラメータ記録コンポーネントによってサンプリングされた値を問題通話品質報告の中に組み込み、ネットワーク上で前記問題通話品質報告を送信するように構成された問題報告コンポーネントと、
を含み、
ｂ．前記端点から一般的に遠く離れたネットワークに設けられたシステム・マネージャは、データベースを含み、前記問題通話品質報告を受信し、前記問題通話品質報告を前記データベースに格納する
分配システム。
【請求項２】
前記システム・マネージャは、さらに、
ａ．前記データベースから前記問題通話品質報告を検索し、
ｂ．インタフェースを介してユーザに対して、前記パラメータ記録コンポーネントによってサンプリングされた値を表示する
請求項１に記載のシステム。
【請求項３】
前記短縮されたサンプリング・インターバルは、約２００ミリ秒乃至５００ミリ秒である請求項１に記載のシステム。
【請求項４】
ａ．標準サンプリング・インターバルで前記信号に関連づけられた少なくとも１つの品質パラメータの値をサンプリングし、
ｂ．前記サンプリングされた値を標準通話品質報告の中に組み込み、
ｃ．前記システム・マネージャに対して前記ネットワーク上で前記標準通話品質報告を送信する
ように構成された標準報告コンポーネントをさらに含む請求項１に記載されたシステム。
【請求項５】
前記標準サンプリング・インターバルは、約５秒乃至２０秒である請求項４に記載のシステム。
【請求項６】
前記パラメータ記録コンポーネントは、配列に少なくとも１つの品質パラメータのサンプリングされた値を格納するように構成され、前記問題報告コンポーネントは、前記配列をファイリングすることによって、前記パラメータ記録コンポーネントによってサンプリングされた値を前記問題通話品質報告の中に組み込むように構成された請求項１に記載のシステム。
【請求項７】
前記信号に関連づけられた通話の終了によって、前記パラメータ記録コンポーネントによってサンプリングされた値を前記問題通話品質報告の中に組み込むように構成された請求項１に記載のシステム。
【請求項８】
前記少なくとも１つの品質パラメータは、推定されたＭＯＳスコア、Ｒ因子、遅延、パケット損失、ジッタ、信号レベル、雑音レベル、エコーレベル、ひずみ、絶対パケット遅延変化、パケット遅延変化に対する相対パケット、短期遅延変化、短期平均遅延、タイミング・ドリフト、およびシーケンス外パケットの比率から構成されたグループから選択される請求項１に記載のシステム。
【請求項９】
前記問題報告コンポーネントは、前記パラメータ記録コンポーネントによってサンプリングされた値を量子化し、圧縮されたデータ・ブロックに前記量子化された値を格納し、前記圧縮されたデータ・ブロックを前記問題通話品質報告に組み込む請求項１に記載のシステム。
【請求項１０】
前記システム・マネージャは、
ａ．前記データベースから問題通話品質報告を検索し、
ｂ．インタフェースを介してユーザに対して前記量子化された値を表示する
請求項９に記載のシステム。
【請求項１１】
前記問題報告コンポーネントは、
ａ．前記パラメータ記録コンポーネントによってサンプリングされた値をそれぞれ一連の範囲値の１つに関連づけ、
ｂ．前記関連づけられた範囲値に基づいて、前記パラメータ記録コンポーネントによってサンプリングされた値を量子化する
請求項９に記載のシステム。
【請求項１２】
前記通話品質分析コンポーネントは、
ａ．少なくとも１つの品質パラメータの監視された値と閾値とを比較し、
ｂ．前記監視された値が前記閾値を超える場合に、問題品質パラメータを特定する
請求項１に記載のシステム。
【請求項１３】
前記パラメータ記録コンポーネントは、前記問題品質パラメータに基づいて、前記短縮されたサンプリング・インターバルを設定するように構成された請求項１２に記載のシステム。
【請求項１４】
前記パラメータ記録コンポーネントは、前記問題品質パラメータに基づいて、前記短縮されたサンプリング・インターバルでサンプリングするための少なくとも１つの品質パラメータを選択するように構成された請求項１２に記載のシステム。
【請求項１５】
ネットワークの端点で信号の問題を診断するための方法であって、
ａ．前記信号の品質問題を検出するために、前記信号に関連づけられた少なくとも１つの品質パラメータの値を前記端点で監視し、
ｂ．前記品質問題の検出によって、短縮されたサンプリング・インターバルで前記信号に関連づけられた少なくとも１つの品質パラメータの値を前記端点でサンプリングし、
ｃ．前記短縮されたサンプリング・インターバルでサンプリングされた値を問題通話品質報告の中に組み込み、
ｄ．データベースへの格納のために、前記端点から一般的に遠く離れて設けられたシステム・マネージャに前記ネットワーク上で前記問題通話品質報告を送信する
ことを含む方法。
【請求項１６】
ａ．前記データベースから前記問題通話品質報告を検索し、
ｂ．インタフェースを介してユーザに対して、前記短縮されたサンプリング・インターバルでサンプリングされた値を表示する
ステップをさらに含む請求項１５に記載の方法。
【請求項１７】
前記短縮されたサンプリング・インターバルは、約２００ミリ秒乃至５００ミリ秒である請求項１５に記載の方法。
【請求項１８】
ａ．標準サンプリング・インターバルで前記信号に関連づけられた少なくとも１つの品質パラメータの値をサンプリングし、
ｂ．前記標準サンプリング・インターバルでサンプリングされた値を標準通話品質報告の中に組み込み、
ｃ．前記システム・マネージャに対して前記ネットワーク上で前記標準通話品質報告を送信する
ステップをさらに含む請求項１５に記載された方法。
【請求項１９】
前記標準サンプリング・インターバルは、約５秒乃至２０秒である請求項１８に記載の方法。
【請求項２０】
配列に前記短縮されたサンプリング・インターバルでサンプリングされた値を格納するステップをさらに含み、前記短縮されたサンプリング・インターバルでサンプリングされた値を前記問題通話品質報告の中に組み込むステップは、前記配列をファイリングすることによって行われる請求項１５に記載の方法。
【請求項２１】
前記短縮されたサンプリング・インターバルでサンプリングされた値を前記問題通話品質報告の中に組み込むステップは、前記信号に関連づけられた通話の終了によって行われる請求項１５に記載の方法。
【請求項２２】
前記少なくとも１つの品質パラメータは、推定されたＭＯＳスコア、Ｒ因子、遅延、パケット損失、ジッタ、信号レベル、雑音レベル、エコーレベル、ひずみ、絶対パケット遅延変化、パケット遅延変化に対する相対パケット、短期遅延変化、短期平均遅延、タイミング・ドリフト、およびシーケンス外パケットの比率から構成されたグループから選択される請求項１に記載の方法。
【請求項２３】
ａ．前記短縮されたサンプリング・インターバルでサンプリングされた値を量子化し、
ｂ．圧縮されたデータ・ブロックに前記量子化された値を格納し、
ｃ．前記圧縮されたデータ・ブロックを前記問題通話品質報告に組み込む
請求項１５に記載の方法。
【請求項２４】
ａ．前記データベースから前記問題通話品質報告を検索し、
ｂ．インタフェースを介してユーザに対して前記量子化された値を表示する
ステップをさらに含む請求項２３に記載の方法。
【請求項２５】
前記短縮されたサンプリング・インターバルでサンプリングされた値をそれぞれ一連の範囲値の１つに関連づけ、前記短縮されたサンプリング・インターバルでサンプリングされた値を量子化するステップは、前記関連づけられた範囲値を使用する請求項２３に記載の方法。
【請求項２６】
ａ．前記少なくとも１つの品質パラメータの監視された値と閾値とを比較し、
ｂ．前記監視された値が前記閾値を超える場合に、問題品質パラメータを特定する
ステップをさらに含む請求項１５に記載の方法。
【請求項２７】
前記問題品質パラメータに基づいて、前記短縮されたサンプリング・インターバルを設定するステップをさらに含む請求項２６に記載の方法。
【請求項２８】
前記問題品質パラメータに基づいて、前記短縮されたサンプリング・インターバルでサンプリングするための少なくとも１つの品質パラメータを選択するステップをさらに含む請求項２６に記載の方法。
【発明の詳細な説明】
【技術分野】
【０００１】
本発明は、ネットワーク監視システムおよび方法に関する。特に、本発明は、ネットワーク・システムの端点で信号の問題を診断するための分散型システムおよび方法に関し、従来のネットワーク・プローブまたはアナライザの能力は仮想的な機能として複製されても良い。
【背景技術】
【０００２】
ネットワークの問題を診断するためのプローブおよびアナライザのようなネットワーク検査装置の使用がうまく確立されている。ネットワークの問題の特定を促進するためには、上記装置は、パケット・ネットワークに取り付けられ、監視された点を通過するパケットを記録し、分析し、そして、パケット・コンテンツの分析から抽出されたデータを報告しまたは表示する。遠く離れた端点に検査装置を設置することは高価であり且つ非実用的であるので、大量の統合されたトラフィックが存在する点で上記プローブおよびアナライザをネットワークに取り付けることが普及している。
【０００３】
たとえば、住宅ボイス・オーバ・ＩＰは、住宅ゲートウェイ、アナログ電話アダプタ、ＩＰフォン、またはソフト・フォンである（まとめて、加入者宅内機器と呼ばれる）。上記加入者宅内機器は、ブロードバンド・ネットワーク接続を介してＩＰネットワークに取り付けられる。これは、ボイス・オーバＩＰが、ある加入者のための加入者宅内機器と別の加入者のための加入者宅内機器との間を送信されるようにする。ＤＳＬまたはケーブルモデムのようなブロードバンド・ネットワーク接続の混雑状態は共通であり、且つ、ボイス・オーバＩＰの断続的な品質問題をもたらす。したがって、住宅ボイス・オーバＩＰサービスのマネージャは、これらの問題を特定し、解決できることを必要とする。しかしながら、加入者機器に一般的なネットワーク・プローブまたはアナライザを設置することは、一般的には費用が高額となる。
【０００４】
追加の問題は、数千万にも達するかもしれない潜在的に多数の加入者から生じる。たとえば、加入者Ａが、彼または彼女が問題を経験したことを報告する場合には、その次にネットワーク・マネージャが調査を担当するかもしれない。ＩＰ問題は実際には一時的であるので、ネットワーク・マネージャは、彼または彼女が加入者の接続を点検するときに問題が発生することを確実に期待することはできない。その上、一時的な問題を掴むことを期待して問題を報告した全ての加入者の接続をネットワーク・マネージャが監視することは非実用的である。
【０００５】
したがって、これらの問題を克服する改善されたネットワーク監視システムおよび方法の要求が存在する。
【発明の開示】
【０００６】
本発明は、大規模住宅ボイス・オーバＩＰもしくはＩＰＴＶサービス、ＩＰ携帯電話サービス、または大企業ボイス・オーバＩＰ展開が効果的に監視され得るシステムおよび方法を提供することによって、この要求に応え、それによって、ネットワーク・マネージャが、大きなネットワーク・プローブおよびアナライザに制限される前の機能性を使用して一時的な問題に関する情報を記録できるようにする。
【０００７】
本発明によれば、ネットワークの端点で信号の問題を診断するための分散型システムは、端点に設けられたサービス品質モニタと、端点から一般的に遠く離れて設けられたシステム・マネージャと、を含む。サービス品質モニタは、通話品質分析コンポーネントと、パラメータ記録コンポーネントと、問題報告コンポーネントと、を含む。通話品質分析コンポーネントは、信号の品質問題を報告するために、通話品質パラメータの値を監視する。品質問題の検出によって、パラメータ記録コンポーネントは、短縮されたサンプリング・インターバルで通話品質パラメータの値をサンプリングする。パラメータ報告コンポーネントは、パラメータ記録コンポーネントによってサンプリングされた値をネットワーク上で送信するための問題通話品質報告の中に組み込む。システム・マネージャは、後続の検査のために問題通話品質報告を検索し、格納する。
【０００８】
一実施形態では、標準報告コンポーネントは、標準サンプリング・インターバルで通話品質パラメータの値をサンプリングし、サンプリングされた値を標準通話品質報告に組み込み、標準通話品質報告をネットワーク上でシステム・マネージャに送信する。このように、標準サンプリング・インターバルは、通話信号に関連づけられた品質問題を監視している間に使用され、品質問題が検出された場合には、短縮されたサンプリング・インターバルは、品質問題を診断するのに十分なデータを集めるために使用される。
【０００９】
別の実施形態では、通話品質分析コンポーネントは、品質パラメータの監視された値と閾値とを比較することによって品質問題を検出する。１または複数の品質パラメータお監視された値が閾値を超える場合には、品質問題が検出され、パラメータ記録コンポーネントには、短縮されたサンプル・インターバルでサンプリングを始めるための信号が送られる。
【００１０】
追加の実施形態では、問題報告コンポーネントは、量子化およびサンプリングされたデータの圧縮処理を行うことによって、パラメータ記録コンポーネントによってサンプリングされた値を問題通話品質報告に組み込む。
【００１１】
本発明の目的は、極めて多数の端点が、問題が発生するときに監視され、上記問題のトラブルシューティングのための役に立つ詳細なデータを取得するシステムおよび方法を提供することである。
【００１２】
追加の目的、機能、および目的は、図面と併せて理解される以下の本発明の詳細な説明および添付の特許請求の範囲を考慮した上で明らかになるであろう。
【発明を実施するための最良の形態】
【００１３】
図１を参照すると、本発明に係る分散型システム１０は、ネットワーク１２の端点１４で信号の問題を診断するように示されている。分散型システム１０は、端点１４に設けられたサービス品質モニタ１８と、端点１４から一般的に遠く離れて設けられたシステム・マネージャ２０と、を含んでいる。本実施形態では、サービス品質モニタ１８は、アナログ電話アダプタ１６に含まれており、アナログ電話アダプタ１６は、標準電話１７に接続されている。サービス品質モニタ１８は、ＩＰフォン、「ソフト・フォン」、携帯情報端末、携帯電話、パーソナル・コンピュータ、住宅ゲートウェイ、ケーブルシステムＭＴＡ、ＩＰＴＶセット・トップ・ボックスなどの端点１４のいかなる適当な有線または無線装置に関連づけられても良く、端点装置に結合される外部ユニットに含まれても良いし、端点装置の内部コンポーネントとして含まれても良い。
【００１４】
図２を参照すると、アナログ電話アダプタ１６は、ネットワーク・インタフェース２２、ジッタ・バッファ２４、ボイス・オーバＩＰ変換コンポーネント２６、信号伝達コンポーネント２８、および電話インタフェース（ボイス・ポート）３０を含んでいる。ネットワーク・インタフェース２２は、イーサネット（登録商標）接続などによってネットワーク１２に接続されている。電話インタフェース３０は、電話１７に接続されている。ボイス・オーバＩＰ変換コンポーネント２６は、電話１７から受信されたアナログ・ボイス信号をボイス・オーバＩＰパケットのストリームに変換し、そのパケットをネットワーク１２上で送信する。さらに、ボイス・オーバＩＰ変換コンポーネント２６は、リモート・ボイス・オーバＩＰシステム（図示されない）から受信されたボイス・オーバＩＰのストリームをアナログ・ボイス信号に変換し、そのアナログ信号を電話１７に送信する。信号伝達コンポーネント２８は、新しい通話を確立し、システム・マネージャ２０にメッセージを送ることによって完了された通話を終了する。信号伝達コンポーネント２８は、通話品質（サービス品質（ＱｏＳ））情報を組み込むメッセージを送っても良いし、これらのメッセージをシステム・マネージャ２０か分別収集システムの何れかに導いても良い。
【００１５】
サービス品質モニタ１８は、終点１４でボイス・オーバＩＰの品質を測定し、通話品質報告を生成するためのアナログ電話アダプタ１６の中に組み込まれる。上記通話品質報告は、ＲＦＣ３６１１（ＲＴＣＰ  ＸＲ）、ＳＩＰ、またはその他の公知の適当なもののようなプロトコルを使用して、ネットワーク１２上でシステム・マネージャ２０に送られる。サービス品質モニタ１８は、以下で参照される米国特許６，７４１，５６９号、表題「マルチメディア通信システムのサービス品質モニタ」、米国特許７，０５８，０４８号、表題「マルチメディア通信システムの通話ごとのサービス品質モニタ」、および／または米国特許７，０７５，９８１号、表題「動的サービス品質モニタ」に開示されているように、動作しても良い。
【００１６】
図３を参照すると、サービス品質モニタ１８は、通話品質分析コンポーネント４０、パラメータ記録コンポーネント４２と、問題報告コンポーネント４４と、標準報告コンポーネント４８と、を含んでいる。通話品質分析コンポーネント４０は、通話信号に関連づけられた品質パラメータの値をサンプリングするように構成されている。上記品質パラメータは、推定されたＭＯＳスコア、Ｒ因子、遅延、パケット損失、ジッタ、信号レベル、雑音レベル、エコーレベル、ひずみ、絶対パケット遅延変化、パケット遅延変化に対する相対パケット、短期遅延変化、短期平均遅延、タイミング・ドリフト、および／またはシーケンス外パケットの比率のような測定され、計算され、または推定されたパラメータを含むかもしれない。
【００１７】
以下にさらに詳細に説明されているように、サービス品質モニタ１８は、２つの動作モード、（１）品質パラメータがサンプリングされ、通話品質報告が標準インターバルで送信される標準モードと、（２）品質パラメータがサンプリングされ、通話品質報告がより短いインターバル、すなわち、より高い周波数で送信される問題モードと、を有する。多種のネットワーク問題を診断するのに十分なデータを取得するためには、より高いサンプリングおよび報告周波数の使用が望ましい。しかしながら、常により高いサンプリンおよび報告周波数を使用することは、ネットワーク１２上を送信されている過度な量の通話品質報告をもたらし、最後には、品質が極めて低減してしまうほどのネットワーク・トラフィックを作ってしまうであろう。この関連で、維持的な問題を検出するための多くの端点でネットワーク品質を監視することが望ましいが、結果として生じるネットワーク上の通話品質報告パケットの量は、１秒あたりの通話品質報告の数と監視されている端点の数との積−いかなる大きさのネットワークでも過度な量−に等しくなるであろう。有利には、本発明の実施形態では、標準サンプリングおよび報告周波数は、通話信号に関連づけられた品質問題を監視している間に使用され、品質問題が検出された場合には、品質問題を診断するのに十分なデータを集めるために、より高いサンプリングおよび報告周波数が使用されることが有利である。
【００１８】
図３を参照すると、表寿モードでは、通話品質分析コンポーネント４０は、信号に関連づけられた品質パラメータを継続的に監視し、標準報告コンポーネント４８は、５乃至２０秒毎のような標準サンプル・インターバルで品質パラメータをサンプリングする。標準報告コンポーネント４８は、サンプリングされた値を標準通話品質報告の中に組み込み、５乃至２０秒毎におよび／または通話の終わりに標準通話品質報告をシステム・マネージャ２０に送信する。システム・マネージャ２０は、標準通話品質報告を受信し、後続の検査のために標準通話品質報告をデータベースに格納する。
【００１９】
通話品質分析コンポーネント４０が品質問題を検出する場合には、問題モードが始動する。問題モードでは、パラメータ記録コンポーネント４２は、２００乃至５００ミリ秒毎のような短期サンプル・インターバルで信号に関連づけられた品質パラメータをサンプリングする。問題報告コンポーネント４６は、パラメータ記録コンポーネント４２によってサンプリングされた値を問題通話品質報告に組み込み、問題通話品質報告をシステム・マネージャ２０に送信する。システム・マネージャ２０は、問題通話品質報告を受信し、後続の検査のために問題通話品質報告をデータベースに格納する。
【００２０】
一実施形態では、通話品質分析コンポーネント４０は、品質パラメータの監視された値と閾値とを比較することによって品質問題を検出する。１または複数の品質パラメータの監視された値が閾値を超える場合には、品質問題が検出され、パラメータ記録コンポーネント４２に短縮されたサンプル・インターバルでサンプリングを始めるための信号が送られる。通話品質分析コンポーネント４０は、１または複数の品質パラメータが閾値を侵犯することを特定するように構成されても良い。上記問題品質パラメータの特定に基づいて、パラメータ記録コンポーネント４２は、好ましいインターバルに対して短縮されたサンプリング・インターバルを設定しても良い。たとえば、問題品質パラメータがジッタとして特定された場合には、極めて詳細な解像度のデータ図を有することが役立つかもしれない。このように、パラメータ記録コンポーネント４２は、その他の種類の問題よりも短い期間に対するジッタ問題のために短縮されたサンプリング・インターバルを設定することができた。問題品質パラメータの特定は、短縮されたサンプリング・インターバルでサンプリングするための詳細な品質パラメータを選択するために、パラメータ記録コンポーネント４２によって使用されても良い。たとえば、問題品質パラメータがパケット損失として特定される場合には、パケット損失が混雑状態に起因するかどうかを画定するためのジッタに関連するデータを取得することが役立つかもしれない。このように、パラメータ記録コンポーネント４２は、短縮されたサンプリング・インターバルでサンプリングするための品質パラメータとしてジッタを選択することができた。
【００２１】
問題報告コンポーネント４６は、通話の終了によって、パラメータ記録コンポーネント４２によってサンプリングされた値を問題通話品質報告に組み込むように構成されても良い。別の実施形態では、パラメータ記録コンポーネント４２は、配列４４の品質パラメータのサンプリングされた値を格納するように構成され、配列４４をファイリングすることによって、問題報告コンポーネント４６がパラメータ記録コンポーネント４２によってサンプリングされた値を問題通話品質報告に組み込むように構成されている。
【００２２】
一実施形態では、問題報告コンポーネント４６は、サンプリングされた値で量子化および圧縮処理を行うことによって、パラメータ記録コンポーネント４２によってサンプリングされた値を問題通話品質報告に組み込む。特に、問題報告コンポーネント４６は、パラメータ記録コンポーネント４２によってサンプリングされた値を量子化し、圧縮されたデータ・ブロックの量子化された値を格納し、圧縮されたデータ・ブロックを問題通話品質報告の中に組み込むように構成されても良い。
【００２３】
上記量子化は、パラメータ記録コンポーネント４２によってサンプリングされた値のそれぞれを一連の範囲値に１つに関連づけ、関連づけられた範囲値に基づいて、パラメータ記録コンポーネント４２によってサンプリングされた値を量子化することを含んでも良い。たとえば、パラメータ記録コンポーネント４２によってサンプリングされたＭＯＳ−ＬＱ値は、４より高い値が良い品質を示す１乃至５の数値範囲内であっても良い。その値が３より高いときはＭＯＳの小さい変化を特定するのに役立つが、ＭＯＳ値が低いときは小さい変化を特定するのにあまり役立たない。したがって、サンプリングされたＭＯＳ値は、以下の範囲値に役立つように量子化されても良い。
０００＝１．００−２．００
００１＝２．０１−２．８０
０１０＝２．８１−３．３０
０１１＝３．３１−３．５０
１００＝３．５１−３．７０
１０１＝３．７１−３．９０
１１０＝３．９１−４．１０
１１１＝４．１１−５．００
【００２４】
所与のＭＯＳ値が前のＭＯＳ値と同じ場合には、これらの範囲値は、「０」のように圧縮された形式で表されても良いし、所与のＭＯＳ値が前のＭＯＳ値と異なる場合には、上にリストアップされたように、３ビットの符号後が続く「１」のように圧縮された形式で表されても良い。差分符号化、ハフマン符号化、ジブ・レンペル符号化、またはその他の熟練家に知られているようなその他の量子化または符号化の仕組みが使用されても良い。
【００２５】
本発明の実施形態では、パラメータ符号化あたり約１２３乃至４８０ビット内に５００ｍＳの割合でサンプリングされた６０秒間を表すことができる（平均的な大きさはパラメータあたり約２００ビット）。これは、５００ｍＳでサンプリングされた上記４個のパラメータの６０秒間が約１００バイトの圧縮されたデータ・ブロックに表せることを可能にする。
【００２６】
問題報告コンポーネント４６は、サンプリングされたデータの圧縮されたデータ・ブロックを問題通話品質報告の中に組み込み、格納のために、問題通話品質報告をシステム・マネージャ２０に送信する。やや後ろの時点で、圧縮されたデータ・ブロックは、問題のトラブルシューティングを促進するために検索され、復号化されても良い。
【００２７】
その結果として、通話品質分析コンポーネント４０が通話中の品質問題を検出するときに、パラメータ記録コンポーネント４２は、３０乃至６０秒間の２００乃至５００ｍＳのサンプリング・インターバルで４乃至８個のキー通話品質パラメータをすぐにサンプリングし始められ、問題報告コンポーネント４６は、圧縮されたデータ・ブロックにサンプリングされたデータを格納することができた。通話の最後に、診断に関するデータの圧縮されたブロックは、システム・マネージャ２０に帰って報告され、データベースに格納されても良い。これらのステップは品質問題が検出されるときにすぐに呼び出されるので、
データが記録されている間に品質問題が未だに存続していて、サンプルが品質問題上の情報を含んでいることの高い可能性がある。したがって、本発明は、このデータを取得するためのオーバヘッドを最小に保ちながら、圧縮され、サンプリングされた問題を経験する各通話上のデータの小さなブロックをシステム・マネージャ２０に設ける。
【００２８】
ネットワーク管理者がすでに完了された通話をトラブルシュートすることを望む将来の時点で、彼は、システム・マネージャ２０で通話データベースから圧縮されたデータ・ブロックを検索し、視覚的解釈のためにサンプリングされたデータ・ブロックを映像で表すことができる。品質パラメータは、互いに同調してサンプリングされるので、一連の位置合わせしたタイム・チャートとしてサンプリングされた品質パラメータを表すことができる。
【００２９】
結果として、本発明は、上記問題をトラブルシューティングするための役立つ詳細なデータを取得するために問題が生じるときに極めて多数の端点が監視されても良いシステムおよび方法が提供される。さらに、本発明の実施形態では、小さな追加のデータのブロックのみが上記利点を達成するための既存メッセージの中に組み込まれることが必要である。さらに、本発明によって述べられた解決方法は、何百万の端点に拡大可能であり、極めて大きなネットワークの一時的且つ予期できない問題をトラブルシューティングするプロセスを大きく促進する。
【００３０】
本発明は、ここでは、特定の実施形態を参照して説明されたが、これらの実施形態は、本発明の主題および応用の単なる例示であることを理解されたい。したがって、本発明は、開示された構造およびプロセスを参照して述べられたが、説明された詳細に限定されることはなく、添付の特許請求の範囲の範囲内に収まるように、上記のような修正または変更を含むことが意図されている。
【図面の簡単な説明】
【００３１】
【図１】本発明の実施形態に係るネットワークの問題を診断するための分散型システムを示す相関的な略図である。
【図２】本発明の実施形態において使用されるアナログ電話アダプタの概略図である。
【図３】本発明の実施形態のサービス品質モニタの概略図である。
【図１】
2009521864.tif 000003
【図２】
2009521864.tif 000004
【図３】
2009521864.tif 000005
【国際調査報告】
2009521864.tif 000006